(57)【特許請求の範囲】
【請求項１】
人体局部を温水にて洗浄する洗浄機器を内蔵した器具本体と、前記器具本体に金属製の締結部材および接続部材を有した給水配管を接続するための給水口と、を設けた人体局部洗浄装置において、前記締結部材に樹脂製筒状体を嵌合し、この樹脂製筒状体の端部よりも突出させた前記接続部材を給水口内部に挿入して、給水配管と給水口とを接続することを特徴とする人体局部洗浄装置。
【請求項２】
金属製の締結部材が、袋ナットであり、給水口が、前記袋ナットに螺合するねじとなっていることを特徴とする請求項１に記載の人体局部洗浄装置。
【請求項３】
樹脂製筒状体の外周に、給水配管と給水口を接続する方向に沿って凹凸を設けたことを特徴とする請求項１又は２に記載の人体局部洗浄装置。
【請求項４】
樹脂製筒状体の内周に、該樹脂製筒状体の抜けを防止する嵌合片および抜け防止突起を設け、給水口に前記嵌合片に嵌合する嵌合ガイドとを設けたことを特徴とする請求項１、２又は３に記載の人体局部洗浄装置。
【請求項５】
締結部材の縦断面外周形状及び樹脂製筒状体の縦断面内周形状を、各々多角形となし、前記締結部材の多角形に外接する仮想円の直径が、前記樹脂製筒状体の多角形に内接する仮想円の直径よりも大きい寸法であることを特徴とする請求項１、２、３又は４に記載の人体局部洗浄装置。
【発明の詳細な説明】
【０００１】
【発明の属する技術分野】
本発明は、人体局部を温水にて洗浄する人体局部洗浄装置に関する。
【０００２】
【従来の技術】
従来使用されていた人体局部洗浄装置を図４を用いて説明すると、人体局部洗浄装置は、内部に温水タンク、洗浄ノズル等（図示省略）の洗浄機器を内蔵した器具本体１と、該器具本体１に回動自在に接続された便蓋及び便座からなり、便器上に載置して使用する。前記器具本体１には、局部洗浄を行う為の水を器具本体１内部に取り込む給水口３を有しており、該給水口３には、給水源に設けられた分岐栓より延設された給水配管２を接続している。
【０００３】
給水配管２及び給水口３の接続は、Ｏリング等のシール部材５を介して行われ、給水配管２に設けた袋ナット等の締結部材４と、給水口３に設けたねじをスパナ等の工具を使用して螺合させることにより行っている。
【０００４】
【発明が解決しようとする課題】
しかしながら、給水配管２と給水口３の接続の際に、工具を使用することは、締め付け作業が簡単に行える反面、過剰な締め付けを行った場合には、ねじ又は締結部材４を破損させ、水漏れを引き起こしてしまう。また、過剰な締め付けを行わないために、工具を使用せずに接続を行なおうとしても、通常使用される締結部材４は、１０〜２０ｍｍＨＥＸ程度の袋ナットを使用するため、直接手を使用して緩みがないように接続することは難しく、水漏れの原因を作ってしまう。
【０００５】
本発明は、前述した課題に鑑みなされたものであり、給水配管２と給水口３の接続作業を行なう際に、スパナ等の工具を使用せずに、且つ、緩み無く接続可能な人体局部洗浄装置を提供することを目的としている。
【０００６】
【課題を解決するための手段】
上記の課題を解決するため、本発明は、以下の構成を有するものである。
（１）  人体局部を温水にて洗浄する洗浄機器を内蔵した器具本体と、前記器具本体に金属製の締結部材および接続部材を有した給水配管を接続するための給水口と、を設けた人体局部洗浄装置において、前記締結部材に樹脂製筒状体を嵌合し、この樹脂製筒状体の端部よりも突出させた前記接続部材を給水口内部に挿入して、給水配管と給水口とを接続することを特徴とする人体局部洗浄装置。
（２）  金属製の締結部材が、袋ナットであり、給水口が、前記袋ナットに螺合するねじとなっていることを特徴とする（１）に記載の人体局部洗浄装置。
（３）  樹脂製筒状体の外周に、給水配管と給水口を接続する方向に沿って凹凸を設けたことを特徴とする（１）又は（２）に記載の人体局部洗浄装置。
（４）  樹脂製筒状体の内周に、該樹脂製筒状体の抜けを防止する嵌合片および抜け防止突起を設け、給水口に前記嵌合片に嵌合する嵌合ガイドとを設けたことを特徴とする（１）、（２）又は（３）に記載の人体局部洗浄装置。
（５）  締結部材の縦断面外周形状及び樹脂製筒状体の縦断面内周形状を、各々多角形となし、前記締結部材の多角形に外接する仮想円の直径が、前記樹脂製筒状体の多角形に内接する仮想円の直径よりも大きい寸法であることを特徴とする（１）、（２）、（３）又は（４）に記載の人体局部洗浄装置。
【０００７】
【発明の実施の形態】
本発明にて使用される樹脂製筒状体６は、その材質が弾性率の高い樹脂成形品であることが好ましく、好適には、ポリプロピレン、ポリスチレン、ポリアミド等を用いることができる。また、その外周には、図３に示すように、給水配管２と給水口３を接続する方向（図１参照）に沿って凹凸を設けることが好ましい。前記凹凸は、手で直接樹脂製筒状体６を回転させて接続作業を行なう際に、滑り止めの役割を果たすことになる。
【０００８】
樹脂製筒状体６の内周には、図２に示すように嵌合片８を設けると共に、給水口３の外周には、嵌合ガイド９を設けることが好ましく、前記嵌合片８及び嵌合ガイド９を嵌合させることにより、樹脂製筒状体６に嵌合される締結部材４が緩むことを防止することが可能となる。
【０００９】
締結部材４の縦断面外周形状及び樹脂製筒状体６の縦断面内周形状は、図５に示すように、各々多角形であることが好ましく、更に、締結部材４の多角形に外接する仮想円の直径（Ｒ１）が、前記樹脂製筒状体６の多角形に内接する仮想円の直径（Ｒ２）よりも大きい寸法（Ｒ１＞Ｒ２）であることが好ましい。お互いが多角形であること及びＲ１＞Ｒ２という寸法関係は、樹脂製筒状体６が円周方向に滑ることを防止可能としている。
【００１０】
樹脂製筒状体６の寸法は、直径２５ｍｍ以上、長さ５ｍｍ以上であることが好ましく、握り易さ及び発生させるトルクから、直径３０ｍｍ〜１００ｍｍ、長さ２０ｍｍ〜１００ｍｍがより好ましい。更には、樹脂製筒状体６の内周に、前述した嵌合片８とは別に、抜け防止突起１０（図２参照９）を設けることにより、樹脂製筒状体６が抜け落ちることをより確実に防止すると共に、締結部材４を締め付け過ぎることを防止することが可能となる。
【００１１】
本発明に用いる締結部材４は、給水配管２及び給水口３を接続可能な部材であれば、特に限定されるものではないが、好適には、金属製の袋ナットが用いられる。その他には、給水口３に挿入し、螺合させるような雄ねじを設けたものも用いることが可能である。
【００１２】
【実施例】
以下本発明の実施例について図面を用いて説明する。図２は、本発明の実施例を示す給水配管２及び給水口３の接続部分を拡大した断面図であり、給水配管２には、締結部材４として１５ｍｍＨＥＸの袋ナット及び、該袋ナットに嵌合する、内周形状が１２の突起を有した多角形であり、外周面に凹凸、内周面に嵌合片８及び抜け防止突起１０を設けた樹脂製筒状体６を付設している。一方、給水口３には、その外周に嵌合ガイド９をなす突起及び前述した袋ナットに螺合するねじ部が切ってある。
【００１３】
給水配管２及び給水口３の接続作業は、図１に示すように、シール部材５であるＯリングを間に挾み、樹脂製筒状体６を直接手で回転させ、袋ナット（図示省略）及び給水口３を螺合させることにより行なわれる。図３に示すように、樹脂製筒状体６には、抜け防止突起１０が設けられている為に、樹脂製筒状体６を締め付け過ぎることはなく、一旦螺合させた後には、嵌合片８及び嵌合ガイド９が嵌合することにより、接合箇所が緩むこともない。
【００１４】
尚、図１に示す接続部材７は、図２に詳細が示されているように、内部が通水用貫通孔になっている管であり、給水口３内部に挿入する際に、位置合わせを行ないやすいよう、樹脂製筒状体６の端部よりも突出するように設けている。
【００１５】
【発明の効果】
本発明においては、給水配管に既設されている締結部材に、樹脂製筒状体を嵌合させたことにより、スパナ等の工具を使用することなく、直接手を使用して給水配管及び給水口を接続することが可能となり、過剰な締め付けによる水漏れを発生させることがなく、且つ、緩みによる水漏れもない人体局部洗浄装置を提供可能としている。更に、接続部材７を樹脂製筒状体６の端部より突出させることにより、例え接続箇所を直接目視できなくても、手探りによる位置合わせを行ないやすい。
【図面の簡単な説明】
【図１】本発明の実施例を示す人体局部洗浄装置の斜視図である。
【図２】本発明の実施例を示す給水配管と給水口の接続部分断面図である。
【図３】本発明に使用される樹脂製筒状体の断面図である。
【図４】従来使用されていた人体局部洗浄装置を示す斜視図である。
【図５】本発明に用いられる樹脂製筒状体及び袋ナット各々の断面図である。
【符号の説明】
１．器具本体  ２．給水配管  ３．給水口  ４．締結部材  ５．シール部材  ６．樹脂製筒状体  ７．接続部材  ８．嵌合片  ９．嵌合ガイド  １０．抜け防止突起
【図１】
0003856168.tif 000002
【図２】
0003856168.tif 000003
【図３】
0003856168.tif 000004
【図４】
0003856168.tif 000005
【図５】
0003856168.tif 000006